(57)【要約】【解決手段】中央部の裏面側に設けられた飲料容器を配置可能な凹部と、縁部に設けられた取手と、を具備するスタッキング可能な略ボウル状の本体部で構成され、前記凹部が上方に向かって縮径するように前記凹部の内部側の側面が略直線状に傾斜しており、前記側面に複数の突起部が設けられており、前記凹部の天面に小径凹部を具備すること、を特徴とするペットボトル収容可能なアウトドア用食器。【特許請求の範囲】
【請求項１】
中央部の裏面側又は表面側に飲料容器を配置可能な凹部を具備する略ボウル状の本体部で構成されていること、
を特徴とするアウトドア用食器。
【請求項２】
中央部において裏面側に飲料容器を配置可能な前記凹部を具備し、
前記凹部の天面に前記凹部より小さい小径凹部を更に具備すること、
を特徴とする請求項１に記載のアウトドア用食器。
【請求項３】
中央部において表面側に飲料容器を配置可能な前記凹部を具備し、
前記凹部に対向する凸部が、アウトドア家具の有するドリンクホルダに挿入・固定可能な形状を有すること、
を特徴とする請求項１に記載のアウトドア食器。
【請求項４】
前記本体部にカトラリー類を挿入して保持可能なカトラリー収容部を具備すること、
を特徴とする請求項１〜３のうちのいずれかに記載のアウトドア用食器。
【発明の詳細な説明】
【技術分野】
【０００１】
本発明は、アウトドア家具と接続して飲料容器とともに安心かつ安全に使用できるアウトドア用食器に関する。
【背景技術】
【０００２】
近年、自然と触れ合いながら種々のレクリエイション等のアウトドア活動を楽しむ人口は増加傾向にあり、なかでも特別な知識や技術を持たなくてもできるバーベキュー（ＢＢＱ）等は、誰しもが行うアウトドア活動であると言える。
【０００３】
上記バーベキュー等のアウトドア活動は、主に屋外での食事を楽しむものであり、当該食事に使用する調理器具や食器類としては屋外での使用に最適化して作られた種々の製品が市販されている。
【０００４】
特に食器類については、屋外での落下を想定し、割れや破損を防止するため樹脂で構成されたものや、立食を想定して、ボトル類とトレー状容器とを接続して、片手で双方を持てるようにしたものがある（例えば特許文献１参照）。
【先行技術文献】
【特許文献】
【０００５】
【特許文献１】特開２００４−２４４０９５号公報
【発明の概要】
【発明が解決しようとする課題】
【０００６】
しかしながら、上記特許文献１の食器は、ボトル類の上部に食器を接続する構成となっており、片手でボトル類の胴部を把持することによって、トレー状容器も一緒に持つことを可能とし、他方の手で食べ物を口に運び、ボトル類からの飲用水はストローを用いて飲用するものである（特許文献１、段落番号［０００７］）。
【０００７】
即ち、上記特許文献１の食器は、あくまでもボトル類とトレー状容器とを同時に持つことを想定したものであり、テーブル等の上に置くと非常に不安定である。また、ボトル類の上部に配置されたトレー状容器に多くの食べ物が収容されている場合、更に安定度は低下し、小さな揺れや衝撃で転倒してしまうという問題があった。
【０００８】
また、アウトドア活動においては、使用する道具は持ち運び時に極力小型軽量であることが望まれるが、上記特許文献１の食器では、複数を持ち運ぶ際に嵩張って簡便に収納及び移動させることができず、構造的に未だ改善の余地があった。
【０００９】
そこで、本発明は、上記問題に鑑みて創作されたものであり、飲料容器とともに、ドリンクホルダを備えるテーブルや椅子等のアウトドア家具に接続して安定的に置くことが可能で、更に複数個をスタッキング（積層）できるアウトドア用食器を提供することを目的とする。
【課題を解決するための手段】
【００１０】
上記の課題を解決すべく、本発明は、
中央部の裏面側又は表面側に飲料容器を配置可能な凹部を具備する略ボウル状の本体部で構成されていること、
を特徴とするアウトドア用食器を提供する。
【００１１】
このような構成を有する本発明のアウトドア用食器は、食べ物収容部における中央部に具備した凹部を、アウトドア家具のドリンクホルダに挿入された飲料容器に被せることで、本アウトドア用食器と、アウトドア家具と、を接続して固定することができる。より具体的には、中央部の裏側に凹部を有する場合は、ドリンクホルダに飲料容器を配置し、その飲料容器の上に本発明のアウトドア用食器を安定的に配置することができる（第一の態様）。また、中央部の表側に凹部を有する場合は、ドリンクホルダに本発明のアウトドア用食器を配置し、当該アウトドア用食器の上に飲料容器を安定的に配置することができる（第二の態様）。更に、本アウトドア用食器はスタッキング可能な形状を有していることが好ましく、複数をスタッキングして移動及び収納を容易化することができる。
【００１２】
また、本発明の上記第一の態様のアウトドア用食器は、中央部において裏面側に飲料容器を配置可能な前記凹部を具備し、前記凹部の天面に前記凹部より小さい小径凹部を更に具備することが望ましい。
【００１３】
このような構成を有する本発明のアウトドア用食器は、裏面側の中央部に具備した凹部をアウトドア家具のドリンクホルダに挿入された飲料容器に被せることで、本アウトドア用食器の表面側を上方に向けつつ、本アウトドア用食器と、アウトドア家具と、を接続して固定することができる。また、凹部の天面に具備した小径凹部により、ドリンクホルダに挿入された飲料容器がペットボトルであっても、該ペットボトルの先端が小径凹部内に挿入され、より確実に本アウトドア用食器と、アウトドア家具と、の接続及び固定を行うことができる。
【００１４】
また、本発明の上記第二の態様のアウトドア用食器は、中央部において表面側に飲料容器を配置可能な前記凹部を具備し、前記凹部に対向する凸部が、アウトドア家具の有するドリンクホルダに挿入・固定可能な形状を有することが望ましい。
【００１５】
このような構成を有する本発明のアウトドア用食器は、裏面側の中央部に具備した凸部をアウトドア家具のドリンクホルダに挿入することで、本アウトドア用食器と、アウトドア家具と、を直接接続して固定することができる。また、表面側に具備された凹部により、本アウトドア用食器内に飲料容器を収容することができる。
【００１６】
また、本発明のアウトドア用食器は、上記の第一の態様であっても第二の態様であっても、前記本体部にカトラリー類を挿入して保持可能なカトラリー収容部を具備することが望ましい。
【００１７】
このような構成を有する本発明のアウトドア用食器により、使用者は本体部に備えられたカトラリー収容部にカトラリー類を挿入することができ、子供であっても大人であってもＢＢＱ等においてカラトリー類を落とす心配を無くすことができる。
【００１８】
さらに、本発明のアウトドア用食器は、前記本体部の外側側面に取手を具備することが望ましい。このような構成を有する本発明のアウトドア用食器によれば、取手を把持することによって、収容した食べ物の温度に関わらず本アウトドア用食器を間接的に持ち上げる及び移動させる等の動作を行うことが可能となる。
【００１９】
なお、本明細書において、「飲料容器」とは、ビール、お茶、ジュース及びスポーツドリンク等のアルミ缶及びスチール缶、並びに、水、お茶、ジュース及びスポーツドリンク等のペットボトル等、飲料を収容して自立する飲料容器を広く概念である。また、「カトラリー類」とは、例えば箸、フォーク、スプーン及びナイフ等、手に持って食べ物を口に運ぶ際に使用する食器全般を含む概念である。
【図面の簡単な説明】
【００２０】
【図１】第一実施形態のアウトドア用食器１における各部の構成を示した図であって、図１（ａ）は、第一実施形態のアウトドア用食器１を見下げた平面図であり、図１（ｂ）は、第一実施形態のアウトドア用食器１の断面図であり、図１（ｃ）は、第一実施形態のアウトドア用食器１を見上げた平面図である。
【図２】第一実施形態におけるアウトドア用食器１のスタッキングについて説明する図であって、図２（ａ）は、第一実施形態におけるアウトドア用食器１のスタッキング方法を示す模式図であり、図２（ｂ）は、第一実施形態におけるアウトドア用食器１を複数スタッキングさせた状態を示す断面図である。
【図３】第一実施形態のアウトドア用食器１と、アウトドア家具１０７と、における接続方法を説明する図であって、図３（ａ）は、ドリンクホルダ１０５に飲料容器１０１を挿入する状態を示した模式図であって、図３（ｂ）は、ドリンクホルダ１０５に挿入した飲料容器１０１に第一実施形態のアウトドア用食器１を被せる状態を示した模式図である。
【図４】第二実施形態のアウトドア用食器５０１における各部の構成を示した図であって、図４（ａ）は、第二実施形態のアウトドア用食器５０１を見下げた平面図であり、図４（ｂ）は、第二実施形態におけるアウトドア用食器５０１の断面図であり、図４（ｃ）は、第二実施形態のアウトドア用食器５０１を見上げた平面図である。
【図５】第二実施形態におけるアウトドア用食器５０１のスタッキングについて説明する図であって、図５（ａ）は、第二実施形態におけるアウトドア用食器５０１のスタッキング方法を示す模式図であり、図５（ｂ）は、第二実施形態におけるアウトドア用食器５０１を複数スタッキングさせた状態を示す断面図である。
【図６】第二実施形態のアウトドア用食器５０１と、アウトドア家具１０７と、における接続方法を示す模式図である。
【図７】間仕切り２７を備えた第一実施形態におけるアウトドア用食器１の変形例を概念的に示す図である。
【図８】図７に示すアウトドア用食器１を複数スタッキングさせた状態を示す図である。
【発明を実施するための形態】
【００２１】
以下、本発明の実施形態に係るアウトドア用食器１について、図１〜図６を参照しながら詳細に説明する。但し、本発明は図示されるものに限られず、また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００２２】
［第一実施形態］
１．アウトドア用食器１の概要
本実施形態のアウトドア用食器１は、上記第一の態様に対応し、主にバーベキュー等の屋外レクリエイションに用いることを目的としたものであって、本アウトドア用食器１が成す形状によりアウトドア家具１０７に接続して固定しつつ、食べ物と、飲料容器１０１と、を同時に収容することができるものである。図１（ａ）、（ｂ）、（ｃ）を用いて本アウトドア用食器１における各部の構成について説明する。図１（ａ）、（ｂ）、（ｃ）は本実施形態のアウトドア用食器１における各部の構成を示した図であって、図１（ａ）は、本アウトドア用食器１を見下げた平面図であり、図１（ｂ）は、本アウトドア用食器１の断面図であり、図１（ｃ）は、本アウトドア用食器１を見上げた平面図である。
【００２３】
図１（ａ）及び（ｂ）に示すとおり、本実施形態のアウトドア用食器１は、略ボウル状の本体部２と、最も外側に位置する縁部３と、縁部３の内側において、食べ物を収容する食べ物収容部５と、該食べ物収容部５の底となる底部７と、底部７の略中央において上方向に対し略鉛直に配設された突起状体９と、該突起状体９に設けられた略円柱状の第一凹部１１と、本アウトドア用食器１の裏面２１における略中央に設けられた略円柱状の第二凹部１３と、スプーン及びフォーク等のカトラリー類を収容するためのカトラリー収容部１５と、本アウトドア用食器１を把持するための取手１７と、を具備している。
【００２４】
２．アウトドア用食器１の構造
＜本体部２＞
本体部２は、略ボウル状で所定の深さを有する器であり、円環状の縁部３の内側に食べ物収容部５を有している。また、縁部３から裏面２１に繋がる側面２３は円弧を有した曲面である。なお、裏面２１は平坦で、接地面が一般的な食卓等の場合においても、当該裏面２１を卓上に当接させることにより本アウトドア用食器１を配膳することができる。当該本体部２は、幅広い温度の食べ物を収容できるように、例えばポリプロピレン（ＰＰ）、アクリロニトリル、ブタジエン及びスチレン共重合合成樹脂（ＡＢＳ）又はシリコーン樹脂等を用いて構成することが望ましい。
【００２５】
＜突起状体９及び第一凹部１１＞
突起状体９は、本体部２の食べ物収容部５における底部７の略中央に配設されており、当該突起状体９の先端には、食器収容部５の底部７と略平行の平滑面１９が設けられている。更に該平滑面１９の略中央には食べ物収容部５の底部７側に凹む略円柱状の第一凹部１１が設けられている。当該第一凹部１１は、本実施形態のアウトドア用食器１に飲料容器１０１を収容するためのものであり、概ね飲料販売用の缶やペットボトル等を収容可能な所定の大きさで構成されるものである。なお、突起状体９により食べ物収容部５は、円環状となる。
【００２６】
＜カトラリー収容部１５＞
突起状体９の先端に設けられた平滑面１９には、食べ物収容部５の底部７側に凹む略円柱状のカトラリー収容部１５が設けられており、当該カトラリー収容部１５にスプーン及びフォーク等のカトラリー類を収容することができる。
【００２７】
＜取手１７＞
本実施形態のアウトドア用食器１は、本体部２における外側の側面２３に取手１７を備えており、使用者は当該取手１７を把持することによって、収容した食べ物の温度に関わらず本アウトドア用食器１を間接的に持ち上げる及び移動させる等の動作を行うことが可能となる。
【００２８】
＜第二凹部１３＞
本体部２における裏面２１の略中央には、突起状体９側に凹む略円柱状の第二凹部１３が配設されており、当該第二凹部１３は突起状体９に設けられた第一凹部１１と対向する配置となっている。第二凹部１３は、本実施形態のアウトドア用食器１と、飲料容器１０１を挿入及び固定可能なドリンクホルダ１０５を備えるテーブルや椅子等のアウトドア家具１０７と、を接続及び固定させるものである。具体的には、アウトドア家具１０７に備えられたドリンクホルダ１０５に飲料容器１０１を挿入し、該飲料容器１０１における当該ドリンクホルダ１０５から突出した部分に対して、本体部２の第二凹部１３を被せることにより、本実施形態のアウトドア用食器１と、アウトドア家具１０７と、を接続及び固定することができるものである。
【００２９】
また、第二凹部１３の内部側の側面には、当該第二凹部１３に挿入した飲料容器１０１を把持するための複数の突起部（リブ）２５が配設されている。本実施形態のアウトドア用食器１では、３つの突起部２５が第二凹部１３における内部側の側面に、同じ高さ及び所定の間隔で配設されており、それぞれが第二凹部１３の径方向中心に向かって立設している。当該突起部２５により、第二凹部１３に挿入した飲料容器１０１を側面から押圧して把持することができる。また、比較的小さなサイズの飲料容器１０１を用いた場合は、当該飲料容器１０１に対する突起部２５の押圧は弱まるものの、当該突起部２５が径方向におけるクリアランスを詰め、所望の固定を達成することができる。
【００３０】
更に第二凹部１３の内部側の上面には、当該第二凹部１３と比して小さな直径の小径凹部１４が設けられている。第二凹部１３に挿入された飲料容器１０１がペットボトルの場合、第二凹部１３の内部側の上面と、飲料容器１０１の上面と、における当接面積が小さくなるため、本実施形態のアウトドア用食器１と、アウトドア家具１０７と、の接続及び固定が不安定になるが、ペットボトルの先端部を小径凹部１４に挿入することで安定化させることができる。
【００３１】
３．アウトドア用食器１のスタッキング
＜スタッキングの概要＞
次に、図２（ａ）及び（ｂ）を用いて本実施形態におけるアウトドア用食器１のスタッキングについて説明する。図２（ａ）及び（ｂ）は、本実施形態におけるアウトドア用食器１のスタッキングについて説明する図であって、図２（ａ）は、本実施形態におけるアウトドア用食器１のスタッキング方法を示す模式図であり、図２（ｂ）は、本実施形態におけるアウトドア用食器１を複数スタッキングさせた状態を示す断面図である。
【００３２】
本実施形態のアウトドア用食器１は、複数を重ねてスタッキングすることができる。図２（ａ）に示すとおり、本アウトドア用食器１をスタッキングする場合は、本アウトドア用食器１におけるそれぞれの水平方向の向き及び縦方向の角度を同じにして重ねる。この時、本アウトドア用食器１の食べ物収容部５と、第一凹部１１と、第二凹部１３（小径凹部１４を含む）と、の内部に飲料容器１０１や食べ物等が入っていないことを確認する必要がある。
【００３３】
図２（ｂ）に示すとおり、本実施形態のアウトドア用食器１のスタッキングは、本体部２に備えられた食器収容部５と、突起状体９と、第二凹部１３と、が構成する凹凸を嵌合させることにより達成されている。以下、具体的にスタッキングの態様について説明するが、該説明をより明確にするため、第一アウトドア用食器２０１と、第二アウトドア用食器３０１と、を用いることにする。
【００３４】
＜スタッキングの詳細＞
まず、第一アウトドア用食器２０１に食べ物及び飲料容器１０１が収容されていないことを確認し、テーブルの天板等における平滑な接地面に置いた後、第二アウトドア用食器３０１の水平方向の向き及び縦方向の角度を、第一アウトドア用食器２０１の水平方向の向き及び縦方向の角度と同じにする。
【００３５】
次に、第二アウトドア用食器３０１を第一アウトドア用食器２０１の上から被せつつ、第一アウトドア用食器２０１の突起状体２０９を第二アウトドア用食器３０１の第二凹部３１３内に挿入し、第一アウトドア用食器２０１と、第二アウトドア用食器３０１と、をスタッキングする。以後、更に複数をスタッキングする場合は、上記と同様の方法を用いて第二アウトドア用食器３０１の上にスタッキングすることになる。
【００３６】
４．アウトドア用食器１と、アウトドア家具１０７と、の接続方法
次に、図３（ａ）及び（ｂ）を用いて本実施形態のアウトドア用食器１と、アウトドア家具１０７と、における接続方法を説明する。図３（ａ）及び（ｂ）は、本実施形態のアウトドア用食器１と、アウトドア家具１０７と、における接続方法を説明する図であって、図３（ａ）は、ドリンクホルダ１０５に飲料容器１０１を挿入する状態を示した模式図であって、図３（ｂ）は、ドリンクホルダ１０５に挿入した飲料容器１０１に本実施形態のアウトドア用食器１を被せる状態を示した模式図である。
【００３７】
上述したように、本実施形態のアウトドア用食器１は、ドリンクホルダ１０５を備えるテーブルや椅子等のアウトドア家具１０７に接続して使用することができる。これは、アウトドア家具１０７が備えるドリンクホルダ１０５を利用し、本アウトドア用食器１と、アウトドア家具１０７と、を飲料容器１０１を介することにより接続するものである。
【００３８】
図３（ａ）に示すとおり、まず、ドリンクホルダ１０５を備えたアウトドア家具１０７（本説明ではドリンクホルダ１０５を備えたテーブル）を用意し、当該アウトドア家具１０７が略水平になるよう配置する。次に、アウトドア家具１０７が備えるドリンクホルダ１０５内に缶又はペットボトル等の飲料容器１０１を挿入し、挿入不備が無いことを確認する。続いて、図３（ｂ）に示すとおり、飲料容器１０１のドリンクホルダ１０５から露出した部位に、本アウトドア用食器１における第二凹部１１を被せつつ裏面２１をアウトドア家具１０７に当接させる。これにより、本アウトドア用食器１と、アウトドア家具１０７と、が接続され、本アウトドア用食器１は意図しない傾きや横方向の押圧を受けても移動ズレや転覆を好適に防止することができる。
【００３９】
［第二実施形態］
１．アウトドア用食器５０１における概要
本実施形態のアウトドア用食器５０１は、上記第二の態様に対応し、アウトドア家具１０７として主に肘掛けにドリンクホルダ１０５を備えた椅子と接続することを目的としたものである。図４（ａ）、（ｂ）、（ｃ）を用いて本アウトドア用食器５０１における各部の構成について説明する。図４（ａ）、（ｂ）、（ｃ）は本実施形態のアウトドア用食器５０１における各部の構成を示した図であって、図４（ａ）は、本アウトドア用食器５０１を見下げた平面図であり、図４（ｂ）は、本アウトドア用食器５０１の断面図であり、図４（ｃ）は、本アウトドア用食器５０１を見上げた平面図である。
【００４０】
図４（ａ）及び（ｂ）に示すとおり、本実施形態のアウトドア用食器５０１は、概ね略ボウル状の本体部５０２と、最も外側に位置する縁部５０３と、食べ物を収容する食べ物収容部５０５と、該食べ物収容部５０５の底となる底部５０７と、該底部５０７の略中央から縁部５０３の一部を繋ぐ隆起部５０９と、該隆起部５０９に設けられた第一凹部５１１と、本アウトドア用食器５０１の裏面５２１において隆起部５０９の形状に沿って形成された第二凹部５１３と、該第二凹部５１３内に設けられた凸部５１４と、スプーン及びフォーク等のカトラリー類を収容するためのカトラリー収容部５１５と、本アウトドア用食器５０１を把持するための取手５１７と、を具備している。
【００４１】
２．アウトドア用食器５０１の構造
＜本体部５０２＞
本体部５０２は、略ボウル状で所定の深さを有する器であり、円環状の縁部５０３の内側に食べ物収容部５０５を有している。また、縁部５０３から裏面２１に繋がる側面５２３は円弧を有した曲面である。なお、裏面５２１は平坦で、接地面が一般的な食卓等の場合においても、当該裏面５２１を卓上に当接させることにより本アウトドア用食器５０１を配膳することができる。当該本体部５０２は、幅広い温度の食べ物を収容できるように、例えばポリプロピレン（ＰＰ）、アクリロニトリル、ブタジエン及びスチレン共重合合成樹脂（ＡＢＳ）又はシリコーン樹脂等を用いて構成することが望ましい。
【００４２】
＜隆起部５０９及び第一凹部５１１＞
隆起部５０９は、食べ物収容部５０５の底部５０７における略中央から縁部５０３の一部にかけて配設されており、当該隆起部５０９の上部には、食器収容部５０５の底部５０７と略平行の平滑面５１９が設けられている。更に該平滑面５１９には食べ物収容部５０５の底部５０７側に凹む略円柱状の第一凹部５１１が設けられている。当該第一凹部５１１は、本実施形態のアウトドア用食器５０１に飲料容器１０１を収容するためのものであり、概ね飲料販売用の缶やペットボトル等を収容可能な所定の大きさで構成されるものである。また、平滑面５１９には第一凹部５１１とは別に比較的浅いトレー部５１６が設けられている。当該トレー部５１６は、食べ物収容部５０５と略同様の用途を有しており、食べ物の収容を可能とするものである。
【００４３】
＜カトラリー収容部５１５＞
隆起部５０９の平滑面５１９には、食べ物収容部５０５の底部５０７側に凹む略円柱状のカトラリー収容部５１５が設けられており、当該カトラリー収容部５１５にスプーン及びフォーク等のカトラリー類を収容することができる。
【００４４】
＜取手５１７＞
本実施形態のアウトドア用食器５０１は、本体部５０２における外側の側面５２３に取手５１７を備えており、使用者は当該取手５１７を把持することによって、収容した食べ物の温度に関わらず本アウトドア用食器５０１を間接的に持ち上げる及び移動させる等の動作を行うことが可能となる。
【００４５】
＜第二凹部５１３＞
本体部５０２における裏面５２１には、隆起部５０９の形状に沿って凹む第二凹部５１３が配設されており、更に当該第二凹部５１３内には裏面５２１と同じ高さ位置にまで突起する凸部５１４が設けられている。第二凹部５１３及び凸部５１４は、は、本実施形態のアウトドア用食器５０１と、肘掛けにドリンクホルダ１０５を備える椅子等のアウトドア家具１０７と、を接続及び固定させるものである。具体的には、アウトドア家具１０７の肘掛けの形状に合わせて第二凹部５１３を被せつつ、ドリンクホルダ１０５に凸部５１４を挿入することにより、本実施形態のアウトドア用食器５０１と、アウトドア家具１０７と、を接続及び固定することができる。
【００４６】
３．アウトドア用食器５０１のスタッキング
＜スタッキングの概要＞
次に、図５（ａ）及び（ｂ）を用いて本実施形態におけるアウトドア用食器５０１のスタッキングについて説明する。図５（ａ）及び（ｂ）は、本実施形態におけるアウトドア用食器５０１のスタッキングについて説明する図であって、図５（ａ）は、本実施形態におけるアウトドア用食器５０１のスタッキング方法を示す模式図であり、図５（ｂ）は、本実施形態におけるアウトドア用食器５０１を複数スタッキングさせた状態を示す断面図である。
【００４７】
本実施形態のアウトドア用食器５０１においても、複数を重ねてスタッキングすることができる。図５（ａ）に示すとおり、本アウトドア用食器５０１をスタッキングする場合は、本アウトドア用食器５０１におけるそれぞれの水平方向の向き及び縦方向の角度を同じにして重ねる。この時、本アウトドア用食器５０１の食べ物収容部５０５と、第一凹部５１１と、トレー部５１６と、の内部に飲料容器１０１や食べ物等が入っていないことを確認する。
【００４８】
そして、図５（ｂ）に示すとおり、本実施形態のアウトドア用食器５０１のスタッキングは、本体部５０２に備えられた食器収容部５０５と、隆起部５０９と、第二凹部５１３と、が構成する凹凸を嵌合させることにより達成される。以下、具体的にスタッキングの態様について説明するが、該説明をより明確にするため、第一アウトドア用食器６０１と、第二アウトドア用食器７０１と、を用いることにする。
【００４９】
＜スタッキングの詳細＞
図５（ｂ）を参照して、まず、第一アウトドア用食器６０１に食べ物及び飲料容器１０１が収容されていないことを確認し、テーブルの天板等における平滑な接地面に置いた後、第二アウトドア用食器７０１の水平方向の向き及び縦方向の角度を、第一アウトドア用食器６０１の水平方向の向き及び縦方向の角度と同じにする。
【００５０】
次に、第二アウトドア用食器７０１を第一アウトドア用食器６０１の上から被せつつ、第一アウトドア用食器６０１の隆起部６０９を第二アウトドア用食器７０１の第二凹部７１３内に挿入し、第一アウトドア用食器６０１と、第二アウトドア用食器７０１と、をスタッキングする。以後、更に複数をスタッキングする場合は、上記と同様の方法を用いて第二アウトドア用食器７０１の上にスタッキングすることになる。
【００５１】
４．アウトドア用食器５０１と、アウトドア家具１０７と、の接続方法
次に、図６を用いて本実施形態のアウトドア用食器５０１と、アウトドア家具１０７と、における接続方法を説明する。図６は、本実施形態のアウトドア用食器５０１と、アウトドア家具１０７と、における接続方法を示す模式図である。
【００５２】
上述したように、本実施形態のアウトドア用食器５０１は、肘掛けにドリンクホルダ１０５を備える椅子等のアウトドア家具１０７に接続して使用することができる。これは、アウトドア家具１０７が備える肘掛けのドリンクホルダ１０５を利用し、本アウトドア用食器５０１と、アウトドア家具１０７と、を接続するものである。
【００５３】
図６に示すとおり、アウトドア家具１０７の肘掛けの形状に合わせて本アウトドア用食器５０１における第二凹部５１３の方向及び角度を変更し、ドリンクホルダ１０５内に凸部５１４を挿入する。当該状態で肘掛けに第二凹部５１３を完全に被せることにより、本アウトドア用食器５０１と、アウトドア家具１０７と、が接続され、本アウトドア用食器５０１は意図しない傾きや横方向の押圧を受けても移動ズレや転覆を好適に防止することができる。
【００５４】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【００５５】
例えば、上記第一実施形態においては、中央部の突起状体９にカトラリー収容部１５を設ける態様について説明し、上記第二実施形態においては、中央部の隆起部５０９にカトラリー収容部５１５を設ける態様について説明したが、例えば縁部３及び５０３にカトラリー収容部１５及び５１５を設けてもよい。
【００５６】
また、上記第一実施形態及び第二実施形態においては、それぞれ食べ物収容部５及び５０５が本体部２及び５０２内に広く確保された構成を有しているが、図７に示すとおり、適宜、食べ物収容部５を区画する１つ以上の間仕切り２７を設けてもよい。当該間仕切り２７を設けることにより、複数に区画された食べ物収容部５それぞれに異なる食べ物を隔離して収容することができ、互いに混じることなく美味しく食することができる。また、間仕切り２７に所定の厚みを設け、ここに上記のカトラリー収容部１５及び５１５を設けてもよい。
【００５７】
間仕切り２７を設ける際は、スタッキング時の嵌合を考慮し、食べ物収容部５内における所望の場所で底部７を隆起させるとともに、裏面２１及び側面２３を凹ませることが必要である（図７及び図８は概念図のため、裏面２１及び側面２３の形状表現を省いている。）。当該方法で間仕切り２７を設けることにより、図８に示すとおり、複数の本実施形態におけるアウトドア用食器１をスタッキングすることができる。
【産業上の利用可能性】
【００５８】
本発明のアウトドア用食器は、アウトドア用食器と、ドリンクホルダを備えるテーブルや椅子等のアウトドア家具と、を接続して固定可能で、更に複数をスタッキングして収納性及び移動性を好適に向上させるものである。また、カップ麺用のカップとしても応用することができる。
【符号の説明】
【００５９】
１        アウトドア用食器
２        本体部
３        縁部
５        食べ物収容部
７        底部
９        突起状体
１１      第一凹部
１３      第二凹部
１４      小径凹部
１５      カトラリー収容部
１７      取手
１９      平滑面
２１      裏面
２３      側面
２５      突起部
２７      間仕切り
１０１    飲料容器
１０３    カトラリー類
１０５    ドリンクホルダ
１０７    アウトドア家具
２０１    第一アウトドア用食器
２０９    隆起部
３０１    第二アウトドア用食器
３１３    第二凹部
５０１    アウトドア用食器
５０２    本体部
５０３    縁部
５０５    食べ物収容部
５０７    底部
５０９    隆起部
５１１    第一凹部
５１３    第二凹部
５１４    凸部
５１５    カトラリー収容部
５１６    トレー部
５１７    取手
５１９    平滑面
５２１    裏面
５２３    側面
６０１    第一アウトドア用食器
６０９    隆起部
７０１    第二アウトドア用食器
７１３    第二凹部
【図１】
2018011896.tif 000002
【図２】
2018011896.tif 000003
【図３】
2018011896.tif 000004
【図４】
2018011896.tif 000005
【図５】
2018011896.tif 000006
【図６】
2018011896.tif 000007
【図７】
2018011896.tif 000008
【図８】
2018011896.tif 000009
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
中央部の裏面側に設けられた飲料容器を配置可能な凹部と、縁部に設けられた取手と、を具備するスタッキング可能な略ボウル状の本体部で構成され、 前記凹部が上方に向かって縮径するように前記凹部の内部側の側面が略直線状に傾斜しており、前記側面に複数の突起部が設けられていること、を特徴とするペットボトル収容可能なアウトドア用食器。
【請求項２】
前記凹部の天面に設けられた小径凹部を具備すること、を特徴とする請求項１に記載のアウトドア用食器。  
【請求項３】
前記本体部にカトラリー類を挿入して保持可能なカトラリー収容部を具備すること、を特徴とする請求項１又は２に記載のアウトドア用食器。
【手続補正２】
【補正対象書類名】明細書
【補正対象項目名】００１０
【補正方法】変更
【補正の内容】
【００１０】  上記の課題を解決すべく、本発明は、  中央部の裏面側に設けられた飲料容器を配置可能な凹部と、縁部に設けられた取手と、を具備するスタッキング可能な略ボウル状の本体部で構成され、 前記凹部が上方に向かって縮径するように前記凹部の内部側の側面が略直線状に傾斜しており、前記側面に複数の突起部が設けられていること、を特徴とするアウトドア用食器を提供する。
【手続補正３】
【補正対象書類名】明細書
【補正対象項目名】００１１
【補正方法】変更
【補正の内容】
【００１１】  このような構成を有する本発明のアウトドア用食器は、食べ物収容部における中央部に具備した凹部を、アウトドア家具のドリンクホルダに挿入された飲料容器に被せることで、本アウトドア用食器と、アウトドア家具と、を接続して固定することができる。より具体的には、ドリンクホルダに飲料容器を配置し、中央部の裏側の凹部をその飲料容器の上に載せるようにして本発明のアウトドア用食器を安定的に配置することができる。
【手続補正４】
【補正対象書類名】明細書
【補正対象項目名】００１２
【補正方法】変更
【補正の内容】
【００１２】  また、本発明の上記第一の態様のアウトドア用食器は、前記凹部の天面に設けられた小径凹部を具備すること、を特徴とするのが望ましい。
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
中央部の裏面側に設けられた飲料容器を配置可能な凹部と、縁部に設けられた取手と、を具備するスタッキング可能な略ボウル状の本体部で構成され、
前記凹部が上方に向かって縮径するように前記凹部の内部側の側面が略直線状に傾斜しており、
前記側面に複数の突起部が設けられており、
前記凹部の天面に小径凹部を具備すること、
を特徴とするペットボトル収容可能なアウトドア用食器。
【請求項２】
前記本体部にカトラリー類を挿入して保持可能なカトラリー収容部を具備すること、
を特徴とする請求項１に記載のアウトドア用食器。
【手続補正２】
【補正対象書類名】明細書
【補正対象項目名】００１０
【補正方法】変更
【補正の内容】
【００１０】
上記の課題を解決すべく、本発明は、
中央部の裏面側に設けられた飲料容器を配置可能な凹部と、縁部に設けられた取手と、を具備するスタッキング可能な略ボウル状の本体部で構成され、
前記凹部が上方に向かって縮径するように前記凹部の内部側の側面が略直線状に傾斜しており、
前記側面に複数の突起部が設けられており、
前記凹部の天面に小径凹部を具備すること、
を特徴とするアウトドア用食器を提供する。
【手続補正３】
【補正対象書類名】明細書
【補正対象項目名】００１２
【補正方法】変更
【補正の内容】
【００１２】
また、本発明の上記第一の態様のアウトドア用食器は、前記凹部の天面に小径凹部を具備すること、を特徴とする。